(57)【要約】      （修正有）【課題】癒し系和風感を強調することができ、室内に見事に調和するインテリア用品を得る。【解決手段】複数個の格子部Ｍをもつ複数個の格子枠体１を相互に折り畳み自在に連結し、格子枠体に障子紙３を貼設してなり、格子枠体を和室や応接間等の室内のインテリア用品として使用可能な縮小化形態に形成してなる。【選択図】図１
0003103851.tif 000002
【実用新案登録請求の範囲】
【請求項１】
複数個の格子部をもつ複数個の格子枠体を相互に折り畳み自在に連結し、該格子枠体に障子紙を貼設してなり、上記格子枠体を和室や応接間等の室内のインテリア用品として使用可能な縮小化形態に形成してなることを特徴とする室内インテリア用品。
【請求項２】
上記格子枠体の複数個の格子部に着物生地を配置してなることを特徴とする請求項１記載の室内インテリア用品。
【請求項３】
上記着物生地は、思い出のある着物、古着等の着物生地であることを特徴とする請求項１又は２記載の室内インテリア用品。
【請求項４】
上記複数個の格子部のうちの選択した任意の格子部に各種の色、柄、織物の任意種類の着物生地を配置してなることを特徴とする請求項１〜３のいずれか１項に記載の室内インテリア用品。
【請求項５】
上記格子枠体は黒色系統に形成され、上記障子紙は白色系統に形成されていることを特徴とする請求項１〜４のいずれか１項に記載の室内インテリア用品。
【考案の詳細な説明】
【技術分野】
【０００１】
本考案は例えば床間、サイドボード等に配置して用いられる室内インテリア用品に関するものである。
【背景技術】
【０００２】
従来、この種室内インテリア用品としては、花瓶や人形、記念カップや盾等のものが知られている。
【特許文献１】実用新案登録第３０４８９６６号公報
【考案の開示】
【考案が解決しようとする課題】
【０００３】
しかしながら上記従来の室内インテリア用品の殆どの場合、その形態が一般にありふれていて、商品販売の際の顧客吸引力が薄く、又、家庭の応接間やサイドボードの上、玄関等に飾り付けても、それほど看者に視覚に訴ったえることが少なく、更なる斬新性をもつ装飾品の出現が望まれている。
【課題を解決するための手段】
【０００４】
本考案はこれらの不都合を解決することを目的とするもので、本考案のうちで、請求項１記載の考案は、複数個の格子部をもつ複数個の格子枠体を相互に折り畳み自在に連結し、該格子枠体に障子紙を貼設してなり、上記格子枠体を和室や応接間等の室内のインテリア用品として使用可能な縮小化形態に形成してなることを特徴とする室内インテリア用品にある。
【０００５】
又、請求項２記載の考案にあっては、上記格子枠体の複数個の格子部に着物生地を配置してなることを特徴とするものであり、又、請求項３記載の考案は、上記着物生地は、思い出のある着物、古着等の着物生地であることを特徴とするものであり、又、請求項４記載の考案は、上記複数個の格子部のうちの選択した任意の格子部に各種の色、柄、織物の任意種類の着物生地を配置してなることを特徴とするものであり、又、請求項５記載の考案は、上記格子枠体は黒色系統に形成され、上記障子紙は白色系統に形成されていることを特徴とするものである。
【考案の効果】
【０００６】
本考案は上述の如く、請求項１記載の考案にあっては、格子枠体は複数個の格子部をもつ和室や応接間等の室内のインテリア用品として使用可能な縮小化形態に形成されているから、恰も、ミニチュア化された屏風や衝立のような和風の室内装飾品とすることができ、格子枠体の形態は日本の伝統美を誇る斬新性に富むものとなり、それだけ視覚に訴えるものとなって装飾効果を高めることができ、和風のインテリア用品として用いることができ、花瓶や他の装飾品と組み合わせて使用することもでき、又、市場においては強い顧客吸引力を発揮し、需要拡大を望むことができ、かつ、複数個の格子枠体を相互に折り畳み自在に連結してなるから、折り畳んで収納保管することができ、使用の利便性を高めることができる。
【０００７】
又、請求項２記載の考案にあっては、上記格子枠体の複数個の格子部に着物生地を配置してなるから、着物生地の存在により一層和風感を惹起することができ、一層日本の伝統美を誇る斬新性に富むものとなり、それだけ一層視覚に訴えるものとなって装飾効果を高めることができ、又、請求項３記載の考案にあっては、祖母のぬくもりが感じられる着物、母から買ってもらった大切な着物、お宮参り着、七五三に着た祝着などの思い出のある着物の着物生地を用いることにより、思い出のこもったインテリア商品、贈答品とすることができ、例えば、箪笥の中に入っている着物で汚れやかび、色焼けなどで痛んでいる古着等のきれいな部分の着物生地を用いることによりインテリア用品としてリフォームすることができ、又、請求項４記載の考案にあっては、上記複数個の格子部のうちの選択した任意の格子部に各種の色、柄、織物の任意種類の着物生地を配置してなるから、複数個のの格子部に着物生地の存在しない部分及び存在する部分との調和の取れたデザイン感を得ることができ、それだけ一層視覚に訴えるものとなって装飾効果を高めることができ、又、請求項５記載の考案にあっては、上記格子枠体は黒色系統に形成され、上記障子紙は白色系統に形成されているから、白と黒とのコントラストにより癒し系和風感を強調することができ、室内に見事に調和するインテリア用品を得ることができる。
【考案を実施するための最良の形態】
【０００８】
図１乃至図８は本考案の実施の形態例を示し、図１乃至４は第一形態例、図５は第二形態例、図６は第三形態例、図７は第四形態例、図８は第五形態例である。
【０００９】
図１乃至図４の第一形態例において、１・１は格子枠体であって、この場合、和室や応接間等の室内のインテリア用品として使用可能な縮小化形態に形成され、縦約７０ｃｍ×横約４６ｃｍの四角枠状の外枠体１ａに複数個の横桟杆１ｂ及び縦桟杆１ｃを格子状に配設し、この横桟杆１ｂ及び縦桟杆１ｃにより１２個の格子部Ｍ・Ｍ・・・を形成してなり、この二個の格子枠体１・１を蝶番機構２により相互に折り畳み自在に連結し、この格子枠体１・１の裏面略全面に障子紙３を貼設して構成している。
【００１０】
４・４・・・は着物生地であって、予め着物生地４を上記格子枠体１・１の複数個の格子部Ｍ・Ｍ・・・の内のりの大きさに切断し、この切断した着物生地４を格子部Ｍ内において障子紙３の表面に重ねて糊材により貼付配置するようにしている。
【００１１】
この着物生地４としては、例えば、祖母のぬくもりが感じられる着物、母から買ってもらった大切な着物、お宮参り着、七五三に着た祝着などの思い出のある着物、箪笥の中に入っている着物で汚れやかび、色焼けなどで痛んでいる古着等のきれいな部分の着物生地４を用いることができる。
【００１２】
又、この場合、上記１２個の格子部Ｍ・Ｍ・・・のうちの選択した４個の格子部Ｍ・Ｍ・・・に各種の色、柄、織物の任意種類の着物生地４を所定の配列パターンで配置している。
【００１３】
又、この場合、上記格子枠体１・１は黒色系統に塗装形成され、上記障子紙３は白色系統のものによりに形成されている。
【００１４】
この実施の第一形態例は上記構成であるから、例えば、図４の如く、上記格子枠体１・１を床の間Ｆやサイドボードなどの上に配置することになり、この格子枠体１・１は複数個の格子部Ｍ・Ｍ・・・をもつ和室や応接間等の室内のインテリア用品として使用可能な縮小化形態に形成されているから、恰も、ミニチュア化された屏風や衝立のような和風の室内装飾品とすることができ、格子枠体１・１の形態は日本の伝統美を誇る斬新性に富むものとなり、それだけ視覚に訴えるものとなって装飾効果を高めることができ、和風のインテリア用品として用いることができ、花瓶や他の装飾品と組み合わせて使用することもでき、又、市場においては強い顧客吸引力を発揮し、需要拡大を望むことができ、かつ、二個の格子枠体１・１を相互に折り畳み自在に連結してなるから、折り畳んで収納保管することができ、使用の利便性を高めることができる。
【００１５】
又、この場合、上記格子枠体１・１の複数個の格子部Ｍ・Ｍ・・・に着物生地４を配置してなるから、着物生地４の存在により一層和風感を惹起することができ、一層日本の伝統美を誇る斬新性に富むものとなり、それだけ一層視覚に訴えるものとなって装飾効果を高めることができ、又、この場合、祖母のぬくもりが感じられる着物、母から買ってもらった大切な着物、お宮参り着、七五三に着た祝着などの思い出のある着物の着物生地４を用いることにより、思い出のこもったインテリア商品、贈答品とすることができ、例えば、箪笥の中に入っている着物で汚れやかび、色焼けなどで痛んでいる古着等のきれいな部分の着物生地４を用いることによりインテリア用品としてリフォームすることができ、又、この場合、上記複数個の格子部Ｍ・Ｍ・・・のうちの選択した任意の格子部Ｍ・Ｍ・・・に各種の色、柄、織物の任意種類の着物生地４を配置してなるから、複数個のの格子部Ｍ・Ｍ・・・に着物生地４の存在しない部分及び存在する部分との調和の取れたデザイン感を得ることができ、それだけ一層視覚に訴えるものとなって装飾効果を高めることができ、又、この場合、上記格子枠体１・１は黒色系統に形成され、上記障子紙３は白色系統に形成されているから、白と黒とのコントラストにより癒し系和風感を強調することができ、室内に見事に調和するインテリア用品を得ることができる。
【００１６】
図５の第二形態例、図６の第三形態例、図７の第四形態例、図８の第五形態例は別例構造を示し、これら各形態例は、それぞれ複数個の格子部Ｍ・Ｍ・・・のうちの選択した任意の格子部Ｍ・Ｍ・・・に各種の色、柄、織物の任意種類の着物生地４を所定の配列パターンで配置した形態例である。
【００１７】
これら各形態例にあっても、上記第一形態例と同様な作用効果を得ることができる。
【００１８】
尚、本考案は上記実施の形態例に限られるものではなく、例えば、格子枠体１の連結個数、大きさや格子部Ｍの数、材質、着物生地４の種類や柄等、配列パターン等は用途に応じて適宜設計して変更される。
【００１９】
以上、所期の目的を充分達成することができる。
【図面の簡単な説明】
【００２０】
【図１】本考案の実施の第一形態例の全体表側斜視図である。
【図２】本考案の実施の第一形態例の全体裏側斜視図である。
【図３】本考案の実施の第一形態例の全体正面図である。
【図４】本考案の実施の第一形態例の使用状態図である。
【図５】本考案の実施の第二形態例の全体正面図である。
【図６】本考案の実施の第三形態例の全体正面図である。
【図７】本考案の実施の第四形態例の全体正面図である。
【図８】本考案の実施の第五形態例の全体正面図である。
【符号の説明】
【００２１】
Ｍ    格子部
１    格子枠体
３    障子紙
４    着物生地
【図１】
0003103851.tif 000003
【図２】
0003103851.tif 000004
【図３】
0003103851.tif 000005
【図４】
0003103851.tif 000006
【図５】
0003103851.tif 000007
【図６】
0003103851.tif 000008
【図７】
0003103851.tif 000009
【図８】
0003103851.tif 000010